(57)【要約】【課題】倉庫などの仕様変更や改装時に容易かつ低コストで設置でき、さらに物品保管体間のスペースが小さくても施工が可能で、短時間で設置、増設できる。【解決手段】複数の保管部を有する棚１と棚の間に設置される仕切り装置１１であって、棚１の背面に可撓性の遮蔽幕１２を設置し、棚１の後の縦支柱材２２と遮蔽幕１２とを連結固定する連結具１６を設けた。【選択図】        図５
2004175506.tif 000002
【特許請求の範囲】
【請求項１】
複数の保管部を有する物品保管体と他の空間部の間または物品保管体と物品保管体の間に設置される仕切り装置であって、
物品保管体の背面に可撓性の遮蔽幕を設置し、
前記物品保管体の背面側の縦支柱材と遮蔽幕とを連結固定する連結具を設けた
ことを特徴とする仕切り装置。
【請求項２】
連結具は、縦支柱材に巻き付けて緊縛固定可能な紐状部材により構成された
ことを特徴とする請求項１記載の仕切り装置。
【請求項３】
遮蔽幕を天井面と床面との間に設置するとともに、幅方向に分割された複数の幅分割幕部により構成し、
前記幅分割幕部の両側縁部に、それぞれ隣接する幅分割幕部同士を互いに連結する幅方向接続材を取り付けた
ことを特徴とする請求項１または２記載の仕切り装置。
【請求項４】
分割幕部は、連結具により両縁側を縦支柱材に取り付けられた第１幅分割幕部と、前記第１幅分割幕部を連結する第２幅分割幕部とで構成された
ことを特徴とする請求項２または３記載の仕切り装置。
【請求項５】
幅分割幕部は、高さ方向に複数に分割された高さ分割幕材により構成され、
隣接する前記高さ分割幕材を互いに連結する高さ方向接続材を取り付けた
ことを特徴とする請求項３または４記載の仕切り装置。
【請求項６】
遮蔽幕に補強用材が高さ方向に内装された
ことを特徴とする請求項１乃至５のいずれかに記載の仕切り装置。
【発明の詳細な説明】
【０００１】
【発明の属する技術分野】
本発明は、たとえば倉庫内に設置された複数の物品保管体である棚と棚の間や棚と隣接する空間との間で、粉塵や臭気、熱、湿気、ガスなどが移動するのを防止するための仕切り装置に関する。
【０００２】
【従来の技術】
たとえば多数の棚を具備した自動倉庫や移動棚設備において、物品保管体である棚に複数種類の物品を保管する場合、物品に付着したり、発生する粉塵やガス、臭気、熱、湿気が他の棚の物品に移り、物品の品質を損なう恐れがある。
【０００３】
このため、たとえばりんごなどの果物を窒素ガス雰囲気で新鮮な状態で貯蔵し、かつ任意に取り出す倉庫設備として、特許文献１がある。これは、棚と搬入出装置とを収容した貯蔵室を仕切り壁で仕切るように構成したものである。また他の従来例には、害虫などの侵入を防ぐために、仕切り壁で倉庫内を複数に仕切り、搬送用コンベヤを設置した開口部に、開閉自在にシャッター装置とエアカーテンを設けたものもある。
【０００４】
【特許文献１】
特開昭６２−２９０６０６号公報（図１参照）
【０００５】
【発明が解決しようとする課題】
しかしながら、上記従来の仕切り壁は、予め設計段階から設けるには都合がよいが、仕様変更や改装工事で容易に設置することができない。特に、設置位置の空間が著しく狭い場合には、仕切り壁の設置が困難である。
【０００６】
ところで、棚などの背面に遮蔽用パネルを取り付ける構成も見られるが、棚側に仕切パネルの重量を支持させるための強度部材が必要であり、ある程度の設置空間が必要であるとともに、材料コストが嵩み、また施工のための長い作業時間が必要となる。
【０００７】
本発明は、上記問題点を解決して、倉庫などの仕様変更や改装時に容易かつ低コストで設置でき、さらに物品保管体間のスペースが小さくても施工が可能で、短時間で設置、増設できる仕切り装置を提供することを目的とする。
【０００８】
【課題を解決するための手段】
上記目的を達成するために請求項１記載の発明は、複数の保管部を有する物品保管体と他の空間部の間または物品保管体と物品保管体の間に設置される仕切り装置であって、物品保管体の背面に可撓性の遮蔽幕を設置し、前記物品保管体の背面側の縦支柱材と遮蔽幕とを連結固定する連結具を設けたものである。
【０００９】
上記構成によれば、物品保管体の背面に遮蔽幕を配置して、連結具により遮蔽幕を縦支柱材に連結固定するように構成したので、自重を縦支柱材に支持させることができ、遮蔽幕の支持部材が不要となり、また設置空間が狭い場合でも、容易に設置可能となる。また倉庫などの仕様変更や改装時に容易かつ低コストで設置でき、短時間で設置、増設することができる。
【００１０】
請求項２記載の発明は、連結具は、縦支柱材に巻き付けて緊縛固定可能な紐状部材により構成されたものである。
上記構成により、遮蔽幕の取り付け取り外しの着脱作業が極めて容易で、かつ短時間で可能となり、かつ遮蔽幕の重量を効果的に支持することができる。
【００１１】
請求項３記載の発明は、遮蔽幕を天井面と床面との間に設置するとともに、幅方向に分割された複数の幅分割幕部により構成し、前記幅分割幕部の両側縁部に、それぞれ隣接する幅分割幕部同士を互いに連結する幅方向接続材を取り付けたものである。
【００１２】
上記構成によれば、遮蔽幕を幅方向に分割して、幅方向接続材により連結するように構成したので、遮蔽幕の取り扱いや着脱作業を容易化できて着脱を短時間で行うことができる。
【００１３】
請求項４記載の発明は、分割幕部は、連結具により両縁側を縦支柱材に取り付けられた第１幅分割幕部と、前記第１幅分割幕部を連結する第２幅分割幕部とで構成されたものである。
【００１４】
上記構成によれば、まず第１幅分割幕部を縦支柱材に取り付け、ついで第１幅分割幕部の間に第２幅分割幕部を取り付けることにより、遮蔽幕の着脱作業を容易かつ短時間で行うことができる。
【００１５】
請求項５記載の発明は、幅分割幕部は、高さ方向に複数に分割された高さ分割幕材により構成され、隣接する前記高さ分割幕材を互いに連結する高さ方向接続材を取り付けたものである。
【００１６】
上記構成によれば、高さ分割幕材を高さ方向接続材により連結して幅分割幕部を構成することにより、高さ方向に長い遮蔽幕でも容易に形成することができ、また遮蔽幕の着脱作業を容易に行うことができる。
【００１７】
請求項６記載の発明は、遮蔽幕に補強用材が高さ方向に内装されたものである。
上記構成によれば、補強用材により遮蔽幕を補強することで、高さ方向の自重を効果的に支持することができ、自重による高さ方向の伸びを防止することができ、高さ方向に長い遮蔽幕が使用可能となる。
【００１８】
【発明の実施の形態】
ここで、本発明に係る仕切り装置を具備した自動倉庫設備の実施の形態を図面に基づいて説明する。
【００１９】
図１，図２に示すように、建屋９内に、走行空間をあけて互いに対向した配置されて複数の保管部１ａを有する一対の棚（物品保管体）１と、棚１の端部に配置されて物品の受渡しを行う入出庫コンベヤ２と、走行空間を走行自在で棚１の保管部１ａと入出庫コンベヤ２との間で物品を出し入れ自在なクレーン装置３と、前記クレーン装置３を操作する操作器４とを具備した複数基（図では４基）の物品保管装置５が配置されている。しそて、棚１やクレーン装置３、入出庫コンベヤ２を収容した物品保管用空間６Ａと、操作器４を配置した操作用空間６Ｂの間には、仕切り壁７が配置されて区画されるとともに、仕切り壁７に、各入出庫コンベヤ２に対応して物品を出し入れするために、開閉自在なシャッタ８ａを有する開口部８がそれぞれ形成されている。
【００２０】
ところで、この物品保管用空間６内で異なる種類の物品を取り扱う場合、一方の物品保管装置５に保管する物品から発生する粉塵や臭気、熱、湿気、ガスなどが、他方の物品保管装置５に保管する物品に移って、物品の品質が低下するのを防止するために、物品保管用空間６Ａを区画する本発明に係る仕切り装置１１が設置されている。この仕切り装置１１は、たとえば左右の２基ずつの物品保管装置（操作器４を除く）５を分離するために、隣接する棚１の背面間の狭い空間に、図３に示すように天井面９ａから床面９ｂにわたって遮蔽幕１２が取り付けられ、物品保管用空間６Ａを２つに分離している。
【００２１】
前記棚１は、図２，図５に示すように、前後の縦支柱材２１，２２が幅方向および前後方向に物品に対応する間隔をあけて立設配置され、前後の縦支柱材２１，２２同士が斜材２４を介して連結されている。また前後の縦支柱材２１，２２には、保管部１ａを形成する物品受け部２５が設けられており、物品受け部２５は、縦支柱材２１，２２から幅方向に突設された腕木部材２５ａと、腕木部材２５ａの先端部間に連結された受け部材２５ｂとで構成され、保管部１ａで左右の物品受け部２５上に物品を保持することができる。また後縦支柱２２間には、斜材２６を介して互いに連結されるとともに、背面に水平方向の横梁材２７が高さ方向に所定間隔をあけて連結されている。
【００２２】
前記遮蔽幕１２は、たとえば柔軟で粉塵や臭気、熱、湿気、ガスなどの移動を防止できる可撓性の樹脂製シートからなり、図４に示すように、一方の棚１の背面に取り付けられている。また遮蔽幕１２は、たとえば斜め格子状に補強用の線状部材（補強用材）１３が内装されて高さ方向および幅方向の強度を補強している。なお、線状部材１３の配置は、正格子状であっても、他のパターンの配置であってもよく、自重による負荷を軽減するために少なくとも高さ方向に線状部材１３を配置して高さ方向の強度が向上されている。
【００２３】
前記遮蔽幕１２は、図３に示すように、建屋７の天井面７ａと床面７ｂとの間にわたって設置されており、幅方向に分割された第１幅分割幕部（幅分割幕部）１４Ａと第２幅分割幕部（幅分割幕部）１４Ｂと第３幅分割幕部（幅分割幕部）１４Ｃとで構成されている。また第１〜第３幅分割幕部１４Ａ〜１４Ｃは、それぞれ高さ方向に複数（図では上中下に３段）に分割された第１高さ分割幕材（高さ分割幕材）１４ａおよび第２高さ分割幕材（高さ分割幕材）１４ｂにより構成されている。
【００２４】
第１幅分割幕部１４Ａのうち中段の第１高さ分割幕材１４ａは、図４（ａ）に示すように、左右の縦辺の内側裏面（棚反対側）に沿って幅方向接続用の第１面ファスナ（幅方向接続材）１５Ａが全長にわたって取り付けられている。また上横辺の内側表面（棚側）に沿って高さ方向接続用の第２面ファスナ（高さ方向接続材）１７Ａが全幅にわたって取り付けられるとともに、下横片の内側裏面に沿って高さ方向接続用の第２面ファスナ（高さ方向接続材）１７Ａが取り付けられ、上下に隣接して配置される第１高さ分割幕材１４ａ同士を連結するように構成されている。なお、上段の第１高さ分割幕材１４ａは上辺の一方の第２面ファスナ１７Ａが削除され、下段の第１高さ分割幕材１４ａは下辺の他方の第２面ファスナ１７Ａが削除される。
【００２５】
また第１幅分割幕部１４Ａの第１高さ分割幕材１４ａの表面には、後の縦支柱材２２および横梁材２７に連結固定する連結具１６が後の縦支柱材２２および横梁材２７にそれぞれ対応して一定間隔ごとに取り付けられている。
【００２６】
この連結具１６は、図７に示すように、中間部が第１高さ分割幕材１４ａの表面に固着ｃされるとともに後の縦支柱材２２および横梁材２７にそれぞれ巻き付けて緊縛固定可能な可撓性のベルト部材（紐状部材）１６ａと、ベルト部材１６ａの他端側に突設されて一端側の係合孔１６ｂに係合可能な係合ピン１６ｃと、係合孔１６ｂに係合された係合ピン１６ｃの上に係合されて係合状態を維持する固定具１６ｄとにより構成されている。
【００２７】
第２幅分幕部１４Ｂの中段の第２高さ分割幕材１４ｂは、図４（ｂ）に示すように、左右の縦辺の内側表面に沿って、第１面ファスナ１５Ａに接着される幅方向接続用の第１面ファスナ（幅方向接続材）１５Ｂが取り付けられ、第２面ファスナ（高さ方向接続材）１７Ａに接着される高さ方向接続用の第２面ファスナ（高さ方向接続材）１７Ｂが、上下の横辺の内側裏面に沿って取り付けられている。なお、上段の第２高さ分割幕材１４ｂは上辺の第２面ファスナ１７Ｂが削除され、下段の第２高さ分割幕材１４ｂは下辺の第２面ファスナ１７Ｂが削除されている。さらに各第２高さ分割幕材１４ｂの表面には、横梁材２７に連結固定する連結具１６が横梁材２７に対応して一定間隔ごとに取り付けられている。
【００２８】
また図８（ａ）に示すように、上段の第１高さ分割幕材１４ａおよび第２高さ分割幕材１４ｂの上端部は、それぞれ天井部９ａに幅方向に沿って設けられた強度部材（面戸）３１に固定具（固定ビスなど）３２を介して全長にわたって固定されている。また下段の第１高さ分割幕材１４ａおよび第２高さ分割幕材１４ｂの下端部は、床面９ｂに接地されるとともに、アングル状の取付部材３３により押さえられ、固定具（固定ボルトなど）３４により固定されている。
【００２９】
入出庫コンベヤ２の対応空間には棚１が配置されないため、図３，図９に示すように上段、中段、下段に高さ方向に分割されて幅の広い第３高さ分割幕材１４ｃが互いに連結されている。そして、第３高さ分割幕材１４ｃの前側縁部は、仕切り壁７に僅かな隙間をあけて立設された支柱材３５に、複数の前記連結具１６を介して取り付けられている。遮蔽幕１２の後側縁部は背面壁に僅かな隙間をあけて立設された支柱材３６に連結具１６を介して取り付けている。もちろん、遮蔽幕１２の前側縁部および後側縁部を、床部と同様に取付部材と固定具により直接取り付けることもできる。
【００３０】
また図８（ａ）に示すように、前記上段の第１〜第３高さ分割幕材１４ａ〜１４ｃの上端部は、それぞれ天井部９ａに幅方向に沿って設けられた強度部材（面戸）３１に固定具（固定ビスなど）３２を介して全長にわたって固定されている。また下段の第１〜第３高さ分割幕材１４ａ〜１４ｃの下端部は、床面９ｂに接地されるとともに、アングル状の取付部材３３により押さえられ、固定具（固定ボルトなど）３４により固定されている。
【００３１】
上記構成における取付作業を説明する。
棚１の前後の縦支柱材２１，２２はそれぞれ天井部９ａに固定されており、後（背面側）の縦支柱材２２間にわたって上段の第１高さ分割幕材１４ａが配置される。そして天井部９ａの強度部材３１に固定具３２を介して取り付けられ、次いで連結具１６により後の縦支柱材２２と横梁材２７にそれぞれ取り付けられる。さらに上段の第１高さ分割幕材１４ａと第１高さ分割幕材１４ａの間と、第１高さ分割幕材１４ａと端部の支柱部材３５，３６との間にそれぞれ第２高さ分割幕材１４ｂおよび第３高さ分割幕材１４ｃが配置される。そして、天井部９ａの強度部材３１に第２高さ分割幕材１４ｂおよび第３高さ分割幕材１４ｃが固定具３２を介して取り付けられた後、左右に隣接する第１〜第３高さ分割幕材１４ａ〜１４ｃが第１面ファスナ１５Ａ，１５Ｂにより互いに密着されて連結される。さらに端部に配置された第２高さ分割幕材１４ｂおよび第３高さ分割幕材１４ｃが支柱部材３５，３６にそれぞれ連結具１６を介して固定される。
【００３２】
上段の第１高さ分割幕材１４ａの下部に、中段の第１高さ分割幕材１４ａがそれぞれ配置される。そして上下に隣接する第１高さ分割幕材１４ａ同士が第２の面ファスナ１７Ａ，１７Ｂにより互いに密着して連結されるとともに、連結具１６により後の縦支柱材２２と横梁材２７とに連結され、中段の第１高さ分割幕材１４ａがそれぞれ固定される。次いで中段の第１高さ分割幕材１４ａと第１高さ分割幕材１４ａの間と、第１高さ分割幕材１４ａと支柱部材３５，３６との間に、中段の第２高さ分割幕材１４ｂおよび第３高さ分割幕材１４ｃがそれぞれ配置される。そして、上下に隣接する第２高さ分割幕材１４ｂおよび第３高さ分割幕材１４ｃ同士が第２面ファスナ１７Ａ，１７Ｂを介して密着して連結され、また左右に隣接する第１〜第３高さ分割幕材１４ａ〜１４ｃが第１面ファスナ１５Ａ，１５Ｂにより互いに密着されて連結される。さらに端部に配置された中段の第２高さ分割幕材１４ｂおよび第３高さ分割幕材１４ｃが支柱部材３５，３６にそれぞれ連結具３６を介して固定される。
【００３３】
さらに、中段の第１高さ分割幕材１４ａの下部に、下段の第１高さ分割幕材１４ａがそれぞれ配置される。そして第２の面ファスナ１７Ａ，１７Ｂが互いに密着連結されるとともに、連結具１６により後の縦支柱材２２と横梁材２７とにそれぞれ連結されて下段の第１高さ分割幕材１４ａが固定される。次いで下段の第１高さ分割幕材１４ａと第１高さ分割幕材１４ａの間と、第１高さ分割幕材１４ａと支柱部材３５，３６との間に下段の第２高さ分割幕材１４ｂと第３高さ分割幕材１４ｃがそれぞれ配置される。そして、隣接する第１〜第３高さ分割幕材１４ａ〜１４ｃが第１面ファスナ１５Ａ，１５Ｂと第２面ファスナ１７，１７Ｂが密着して連結されて、下段の第２高さ分割幕材１４ｂおよび第３高さ分割幕材１４ａ〜１４ｃが取り付けられる。さらに端部に配置された第２高さ分割幕材１４ｂおよび第３高さ分割幕材１４ｃが支柱部材３５，３６にそれぞれ連結具３６を介して固定される。さらに、下段の第１〜第３高さ分割幕材１４ａ〜１４ｃの下端部がそれぞれ床部９ｂに接地されるとともに、アングル状の取付部材３３を介して固定具３４で固定される。
【００３４】
ところで、横梁材２７は後の縦支柱材２２の背面に突出した状態で取り付けられているが、第１、第２分割幕材１４ａ，１４ｂは可撓性の樹脂製シートからなることから、図６に示すように、横梁材２７を包み込んだ状態で取り付けることができる。
【００３５】
上記実施の形態によれば、棚１の背面に遮蔽幕１２を配置して連結具１６により後の縦支柱材２２に連結固定するように構成したので、遮蔽幕１２の自重を縦支柱材２２に支持させることができ、これにより遮蔽幕１２の支持部材が不要となり、棚１の後の縦支柱材２２間の設置空間が狭い場合でも、容易に設置可能となる。また倉庫などの仕様変更や改装時に容易かつ低コストで設置でき、短時間で設置、増設することができる。
【００３６】
また連結具１６は、ベルト部材１６ａを縦支柱材２２に巻き付けて係合ピン１６ｃと係合孔１６ｂに嵌合させるだけて緊縛固定可能に構成したので、遮蔽幕１２の取付取り外しの際の連結具１６の着脱作業が極めて容易で、かつ短時間で可能となり、かつ遮蔽幕１２の重量を効果的に支持することができる。
【００３７】
さらに、遮蔽幕１２を、幅方向に分割された第１および第２幅分割幕部１４Ａ，１４Ｂにより構成して、第１面ファスナ１５Ａ，１５Ｂにより全長にわたって連結するように構成したので、密閉性を向上させるとともに、遮蔽幕１２の着脱作業を容易化できて組み立て取り外しを短時間で行うことができる。さらに後の縦支柱材２２に取り付けられる第１幅分割幕部１４Ａと、第１幅分割幕部１４Ａの間に第１面ファスナ１５Ａを介して連結配置される第２幅分割幕部１４Ｂとにより構成したので、遮蔽幕１２の着脱作業をさらに容易に行うことができる。
【００３８】
さらにまた、第１，第２幅分割幕部１４Ａ，１４Ｂをそれぞれ高さ方向に複数に分割した第１〜第３高さ分割幕材１４ａ〜１４ｃにより構成し、第１〜第３高さ分割幕材１４ａ〜１４ｃを第２面ファスナ１７Ａ，１７Ｂにより高さ方向に連結するように構成したので、高さ方向に長い第１，第２幅分割幕部１４Ａ，１４Ｂでも容易に形成することができ、遮蔽幕１２の着脱作業を容易に行うことができる。
【００３９】
さらに遮蔽幕１２に線状部材１３を斜め格子状に内装したので、高さ方向の強度を増加させて、高さ方向の自重を効果的に支持することができるとともに、自重による伸びを防止することができ、高さ方向に長い遮蔽幕１２も使用することができる。
【００４０】
なお、上記実施の形態では、一対の後部の縦支柱材２２間に第１幅分割幕部１４Ａを設け、第１幅分割幕部１４Ａ間に第２幅分割幕部１４Ｂを取り付け、第１幅分割幕部１４Ａと第２幅分割幕部１４Ｂとを異なる形状としたが、図１０，１１に示すように、幅分割幕部を構成する各高さ方向分割幕材３１を同一形状とし、幅方向の背面中央部に沿って連結具１６を取り付け、幅方向の一端側辺の表面と他端側辺の裏面に、それぞれ第１面ファスナ１５Ａ，１５Ｂを取り付けるように構成してもよい。この場合には、同一形状の高さ方向分割幕材３１により構成するので、生産性がよく、製造コストを削減することができる。
【００４１】
上記実施の形態では、物品保管装置５の棚１の間に遮蔽幕１２を配置したが、棚が配置された物品保管空間と、平積み状に物品を保管する物品保管空間や通常の作業空間との間に、遮蔽幕１２を配置することもできる。
【００４２】
また遮蔽幕１２の材質として、樹脂製シートとしたが、布製なども使用することができる。
さらに、接続部材を面ファスナとしたが、これに限るものではなく、通常のファスナや粘着テープ、溶着テープなども使用することが可能である。
【００４３】
【発明の効果】
以上に述べたごとく請求項１記載の発明によれば、物品保管体の背面に遮蔽幕を配置して、連結具により遮蔽幕を縦支柱材に連結固定するように構成したので、自重を縦支柱材に支持させることができ、遮蔽幕の支持部材が不要となり、また設置空間が狭い場合でも、容易に設置可能となる。また倉庫などの仕様変更や改装時に容易かつ低コストで設置でき、短時間で設置、増設することができる。
【００４４】
請求項２記載の発明によれば、遮蔽幕の取り付け取り外しの着脱作業が極めて容易で、かつ短時間で可能となり、かつ遮蔽幕の重量を効果的に支持することができる。
【００４５】
請求項３記載の発明によれば、遮蔽幕を幅方向に分割して、幅方向接続材により連結するように構成したので、遮蔽幕の取り扱いや着脱作業を容易化できて着脱を短時間で行うことができる。
【００４６】
請求項４記載の発明によれば、まず第１幅分割幕部を縦支柱材に取り付け、ついで第１幅分割幕部の間に第２幅分割幕部を取り付けることにより、遮蔽幕の着脱作業を容易かつ短時間で行うことができる。
【００４７】
請求項５記載の発明によれば、高さ分割幕材を高さ方向接続材により連結して幅分割幕部を構成することにより、高さ方向に長い遮蔽幕でも容易に形成することができ、また遮蔽幕ま着脱作業を容易に行うことができる。
【００４８】
請求項６記載の発明によれば、補強用材により遮蔽幕を補強することで、高さ方向の自重を効果的に支持することができ、自重による高さ方向の伸びを防止することができ、高さ方向に長い遮蔽幕が使用可能となる。
【図面の簡単な説明】
【図１】本発明に係る仕切り装置を有する自動倉庫設備の実施の形態を示す全体平面図である。
【図２】同自動倉庫設備の棚を示す部分斜視図である。
【図３】同仕切り装置の全高を示す部分背面図である。
【図４】（ａ）は同仕切り装置の第１高さ分割幕材を示す表面図、（ｂ）は第２高さ分割幕材を示す表面図である。
【図５】同仕切り装置の第１，第２高さ分割幕材の取りつけ状態を示す平面断面図である。
【図６】同仕切り装置の遮蔽幕の取り付け状態を示す部分側面断面図である。
【図７】同仕切り装置の連結具を示し、（ａ）は分解斜視図、（ｂ）は取りつけ状態を示す斜視図である。
【図８】同第１，第２高さ分割幕材の取り付け状態を示し、（ａ）は上端部の断面図、（ｂ）は下端部の断面図である。
【図９】同仕切り装置の第３幅分割幕部を示す平面断面図である。
【図１０】他の実施の形態の仕切り装置の高さ分割幕材を示す表面図である。
【図１１】同仕切り装置の高さ分割幕材の取りつけ状態を示す平面断面図である。
【符号の説明】
１    棚
１ａ  保管部
２    入出庫コンベヤ
３    クレーム装置
４    操作器
５    物品保管装置
６Ａ  保管用空間
６Ｂ  操作用空間
７    仕切り壁
９    建屋
９ａ  天井部
９ｂ  床部
１１    仕切り装置
１２    遮蔽幕
１３    線状部材
１４Ａ  第１幅分割幕部
１４Ｂ  第２幅分割幕部
１４Ｃ  第３幅分割幕部
１４ａ  第１高さ分割幕材
１４ｂ  第２高さ分割幕材
１４ｃ  第３高さ分割幕材
１５Ａ  第１面ファスナ
１５Ｂ  第２面ファスナ
１７Ａ  第１面ファスナ
１７Ｂ  第２面ファスナ
１６    連結具
２２    後の縦支柱材
２７    横梁材
３１    強度部材
３２    固定具
３３    取付部材
３４    固定具
３５，３６    支柱材
【図１】
2004175506.tif 000003
【図２】
2004175506.tif 000004
【図３】
2004175506.tif 000005
【図４】
2004175506.tif 000006
【図５】
2004175506.tif 000007
【図６】
2004175506.tif 000008
【図７】
2004175506.tif 000009
【図８】
2004175506.tif 000010
【図９】
2004175506.tif 000011
【図１０】
2004175506.tif 000012
【図１１】
2004175506.tif 000013